(57)【特許請求の範囲】
【請求項１】
画像を記録媒体に形成する画像形成装置であって、
加熱ローラーと、前記加熱ローラーの温度を検出する温度センサーとを有し、トナー像を記録媒体に定着する定着部と、
前記定着部の動作を制御する制御部と、
前記温度センサーの信号を前記制御部に伝送する信号配線と、
前記制御部と前記信号配線との間に配置される第１抵抗と
を備え、
前記制御部は、
前記信号配線と反対側の前記第１抵抗の端部である第１端部に電圧を印加する電圧印加部と、
前記第１抵抗の前記信号配線側の端部の電圧を検出する電圧検出部と、
前記電圧検出部によって検出された電圧値に基づいて、前記信号配線の異常を判定する判定部と
を備え、
前記制御部は、予め設定された第２の直流電圧を生成する電圧生成部を備え、
前記画像形成装置は、前記電圧生成部によって生成された電圧を前記温度センサーに供給する電源配線を備え、
前記判定部は、前記電圧検出部によって検出された電圧値に基づいて、前記電源配線の異常を判定し、
前記電圧印加部は、前記第１端部に零ボルトを印加し、
前記判定部は、前記電圧検出部によって検出された電圧値が略零ボルトである場合に、前記電源配線が断線又は地絡していると判定する、画像形成装置。
【請求項２】
前記電圧印加部は、予め設定された第１の直流電圧を前記第１端部に印加し、
前記判定部は、前記電圧検出部によって検出された電圧値に基づいて、前記信号配線が断線しているか否かを判定する、請求項１に記載の画像形成装置。
【請求項３】
前記電圧印加部は、予め設定された第１の直流電圧を前記第１端部に印加し、
前記判定部は、前記電圧検出部によって検出された電圧値が前記第１の直流電圧と略一致する場合に、前記信号配線が断線していると判定する、請求項２に記載の画像形成装置。
【請求項４】
前記電圧印加部は、前記第１の直流電圧を前記第１端部に印加し、
前記判定部は、前記電圧検出部によって検出された電圧値が略零ボルトである場合に、前記信号配線が地絡していると判定する、請求項２又は請求項３に記載の画像形成装置。
【請求項５】
前記温度センサーと前記信号配線との間に配置される第２抵抗を備え、
前記制御部は、前記温度センサーの検出した温度を求める温度検出部を備え、
前記電圧印加部は、前記第１端部をハイインピーダンス設定とし、
前記温度検出部は、前記電圧検出部によって検出された電圧値に基づいて、前記温度センサーの検出した温度を求める、請求項１から請求項４のいずれか１項に記載の画像形成装置。
【発明の詳細な説明】
【技術分野】
【０００１】
本発明は、画像形成装置に関する。
【背景技術】
【０００２】
従来、画像形成装置の定着装置において、温度センサーによって加熱ローラーの温度を検出することが知られている。また、温度センサーの断線を検出する種々の技術が知られている。
【０００３】
例えば、電源投入時に、温度センサーの断線を検出する画像形成装置が開示されている（特許文献１参照）。特許文献１に記載の画像形成装置は、電源投入時に、メモリーに温度センサーの断線情報が記録されている場合には、加熱ローラーのヒーターに低デューティ比で電力を供給する。また、特許文献１に記載の画像形成装置は、ヒーターに電力を供給しながら、温度センサーの断線を検出する。
【０００４】
特許文献１に記載の画像形成装置によれば、装置電源の再投入時にヒーターが高温にならずに、装置を立ち上げることができると記載されている。
【先行技術文献】
【特許文献】
【０００５】
【特許文献１】特開２００７−２５０１０号公報
【発明の概要】
【発明が解決しようとする課題】
【０００６】
しかしながら、特許文献１に記載の画像形成装置では、ヒーターに電力を供給しながら、温度センサーの断線を検出するため、加熱ローラーの温度が高温になる恐れがある。具体的には、温度センサーが異常な状態になった場合には、ユーザーによってイレギュラーな動作が行われる恐れがある。例えば、ユーザーが電源スイッチのオン及びオフ操作を繰り返して行い、その結果、加熱ローラーの温度が高温になる恐れがある。
【０００７】
本発明は、上記課題に鑑みてなされたものであり、ヒーターに電力を供給せずに、温度センサーの異常を検出することができる画像形成装置を提供することを目的としている。
【課題を解決するための手段】
【０００８】
本発明の画像形成装置は、画像を記録媒体に形成する画像形成装置であって、定着部、制御部、温度センサー、信号配線、及び、第２抵抗を備える。前記定着部は、加熱ローラー及び温度センサーを有し、トナー像を記録媒体に定着する。前記温度センサーは、前記加熱ローラーの温度を検出する。前記制御部は、前記定着部の動作を制御する。前記信号配線は、前記温度センサーの信号を前記制御部に伝送する。前記第１抵抗は、前記制御部と前記信号配線との間に配置される。前記制御部は、電圧印加部、電圧検出部、及び、判定部を備える。前記電圧印加部は、前記信号配線と反対側の前記第１抵抗の端部に電圧を印加する。前記電圧検出部は、前記第１抵抗の前記信号配線側の端部の電圧を検出する。前記判定部は、前記電圧検出部によって検出された電圧値に基づいて、前記信号配線の異常を判定する。
【発明の効果】
【０００９】
本発明の画像形成装置によれば、ヒーターに電力を供給せずに、温度センサーの異常を検出することができる。
【図面の簡単な説明】
【００１０】
【図１】本発明の実施形態に係る画像形成装置の構成を示す側面図である。
【図２】図１に示す定着部の構成を示す斜視図である。
【図３】図１に示す制御部の構成を示す図である。
【図４】制御部の第１の機能を示す図である。
【図５】制御部の第２の機能を示す図である。
【図６】制御部の第３の機能を示す図である。
【図７】制御部の動作を示すフローチャートである。
【発明を実施するための形態】
【００１１】
以下、本発明の実施形態について、図面（図１〜図６）を参照しながら説明する。なお、図中、同一又は相当部分については同一の参照符号を付して説明を繰り返さない。
【００１２】
まず、図１を参照して、本実施形態に係る画像形成装置１について説明する。図１は、本実施形態に係る画像形成装置１の構成を示す図である。本実施形態において画像形成装置１は、カラー複写機である。
【００１３】
図１に示すように、画像形成装置１は、用紙Ｐ上に画像を形成する装置であって、筐体１０、給紙部２、搬送部Ｌ、トナー補給ユニット３、画像形成ユニット４、転写部５、制御部６、定着部７、及び、排出部８を備える。
【００１４】
給紙部２は、筐体１０の下部に配置され、用紙Ｐを搬送部Ｌへ供給する。給紙部２は、複数枚の用紙Ｐを収容可能であって、最上部の用紙Ｐを１枚ずつ搬送部Ｌへ供給する。
【００１５】
搬送部Ｌは、給紙部２によって供給された用紙Ｐを、転写部５及び定着部７を経由して排出部８まで搬送する。
【００１６】
トナー補給ユニット３は、画像形成ユニット４にトナーを供給する容器であって、４つのトナーカートリッジ３ｃ、３ｍ、３ｙ、及び、３ｋを備える。トナーカートリッジ３ｃには、シアン色のトナーが収容される。トナーカートリッジ３ｍには、マゼンタ色のトナーが収容される。トナーカートリッジ３ｙには、イエロー色のトナーが収容される。トナーカートリッジ３ｋには、ブラック色のトナーが収容される。
【００１７】
転写部５は、中間転写ベルト５４を備える。転写部５は、画像形成ユニット４によって、中間転写ベルト５４上に形成されたトナー像を、用紙Ｐ上に転写する。
【００１８】
画像形成ユニット４は、中間転写ベルト５４上にトナー像を形成する。画像形成ユニット４は、４つの画像形成部４ｃ、４ｍ、４ｙ、４ｋを含む。画像形成部４ｃには、トナーカートリッジ３ｃからシアントナーが供給される。画像形成部４ｍには、トナーカートリッジ３ｍからマゼンタトナーが供給される。画像形成部４ｙには、トナーカートリッジ３ｙからイエロートナーが供給される。画像形成部４ｋには、トナーカートリッジ３ｋからブラックトナーが供給される。
【００１９】
定着部７は、転写部５によって用紙Ｐに形成されたトナー像を定着するローラー対であって、加熱ローラー７１及び加圧ローラー７２を備える。用紙Ｐは、加熱ローラー７１及び加圧ローラー７２によって加熱及び加圧される。その結果、定着部７によって、転写部５において用紙Ｐに転写された未定着のトナー像が定着される。排出部８は、トナー像が定着された用紙Ｐを装置の外部へ排出する。
【００２０】
次に、図２を参照して、定着部７の構成について説明する。図２は、定着部７の構成を示す斜視図である。定着部７は、加熱ローラー７１及び加圧ローラー７２に加えて、非接触温度センサー７１１、及び、ヒーター７１２を備える。
【００２１】
非接触温度センサー７１１は、加熱ローラー７１の温度ＴＲを非接触で検出する。具体的には、非接触温度センサー７１１は、サーモパイルを備える。サーモパイルは、加熱ローラー７１からの熱エネルギーを電気エネルギーに変換する。非接触温度センサー７１１は、「温度センサー」の一例に相当する。
【００２２】
ヒーター７１２は、加熱ローラー７１を加熱する。ヒーター７１２は、例えば、ハロゲンランプを備える。そして、ハロゲンランプの輻射熱によって、加熱ローラー７１を加熱する。
【００２３】
次に、図３を参照して制御部６の構成を説明する。図３は、制御部６の構成を示す図である。制御部６は、ＣＰＵ（Ｃｅｎｔｒａｌ  Ｐｒｏｃｅｓｓｉｎｇ  Ｕｎｉｔ）６１、図略のＲＯＭ（Ｒｅａｄ  Ｏｎｌｙ  Ｍｅｍｏｒｙ）、及び、ＲＡＭ（Ｒａｎｄｏｍ  Ａｃｃｅｓｓ  Ｍｅｍｏｒｙ）を備える。ＲＯＭには、制御プログラムが格納されている。ＣＰＵ６１は、制御プログラムをＲＯＭから読み出して実行する。ＣＰＵ６１は、電圧印加部６１１、電圧検出部６１２、判定部６１３、及び、電圧生成部６１４を備える。ＲＡＭは、ＣＰＵ６１の作業領域として機能する。ＣＰＵ６１は、更に、出力端子６１Ａ、及び、入力端子６１Ｂを備える。
【００２４】
画像形成装置１は、ワイヤーハーネス９を備える。ワイヤーハーネス９は、電源配線９１、接地配線９２、及び、信号配線９３を備える。電源配線９１は、電圧生成部６１４によって生成された電圧を非接触温度センサー７１１に供給する。接地配線９２は、制御部６側に設けられた接地端子と非接触温度センサー７１１に配置された端子とを接続する。その結果、非接触温度センサー７１１に配置された上記端子を接地端子とする。信号配線９３は、非接触温度センサー７１１の検出信号を制御部６へ伝送する。
【００２５】
画像形成装置１は、更に、増幅器７１３、第１抵抗Ｒ１及び第２抵抗Ｒ２を備える。増幅器７１３は、非接触温度センサー７１１と信号配線９３との間に配置される。また、増幅器７１３は、非接触温度センサー７１１の検出信号を増幅する。第１抵抗Ｒ１は、制御部６が電源配線９１及び信号配線９３の異常を検出するために、出力端子６１Ａと入力端子６１Ｂとの間に配置される。第２抵抗Ｒ２は、非接触温度センサー７１１によって検出された温度を求めるために、増幅器７１３と信号配線９３との間に配置される。
【００２６】
出力端子６１Ａは、電圧印加部６１１によって設定された電圧を第１抵抗Ｒ１の一方側端（図３では上側端）に出力する。なお、出力端子６１Ａは、「第１端部」に相当する。入力端子６１Ｂには、非接触温度センサー７１１からの出力信号が、増幅器７１３、第２抵抗Ｒ２、及び、信号配線９３を順次介して入力される。入力端子６１Ｂに入力された信号（電圧ＶＮ）は、電圧検出部６１２へ出力される。
【００２７】
電圧生成部６１４は、商用電源から供給される交流電圧から、非接触温度センサー７１１及び増幅器７１３に供給する直流電圧を生成する。電圧生成部６１４が生成する電圧は、本実施形態では、３．３Ｖである。また、電圧生成部６１４によって生成された直流電圧は、電源配線９１を介して、非接触温度センサー７１１及び増幅器７１３に供給される。
【００２８】
電圧印加部６１１は、出力端子６１Ａに電圧ＶＳを印加する。具体的には、信号配線９３の異常を検出する場合には、電圧印加部６１１は、出力端子６１Ａにハイ電圧ＶＡ（例えば、３．３Ｖ）を印加する。電源配線９１の異常を検出する場合には、電圧印加部６１１は、出力端子６１Ａにロー電圧ＶＢ（例えば、零（ゼロ）Ｖ）を印加する。非接触温度センサー７１１の検出温度を検出する場合には、電圧印加部６１１は、出力端子６１Ａをオープン状態（ハイインピーダンス状態）に設定する。
【００２９】
電圧検出部６１２は、入力端子６１Ｂの電圧ＶＮを検出する。判定部６１３は、電圧検出部６１２によって検出された電圧ＶＮに基づいて、信号配線９３又は電源配線９１の異常を検出する。また、判定部６１３は、電圧ＶＮに基づいて非接触温度センサー７１１の検出温度を検出する。判定部６１３は、「温度検出部」の一例に相当する。
【００３０】
図３を参照して説明したように、制御部６（ＣＰＵ６１）は、ヒーター７１２に電力を供給せずに、非接触温度センサー７１１の異常を検出することができる。具体的には、ＣＰＵ６１は、非接触温度センサー７１１の信号配線９３の異常、及び、電源配線９１の異常を検出することができる。
【００３１】
以下、図４〜図６を参照して、信号配線９３の異常を検出する制御部６の第１の機能、電源配線９１の異常を検出する制御部６の第２の機能、及び、非接触温度センサー７１１の検出温度を検出する制御部６の第３の機能について説明する。
【００３２】
まず、図４を参照して、信号配線９３の異常を検出する制御部６の第１の機能について説明する。図４は、制御部６の第１の機能を示す図である。電圧印加部６１１は、出力端子６１Ａにハイ電圧ＶＡ（本実施形態では、３．３Ｖ）を印加する。電圧検出部６１２は、入力端子６１Ｂの電圧Ｖ１を検出する。ハイ電圧ＶＡは、「所定の直流電圧」に相当する。
【００３３】
信号配線９３が断線している場合には、出力端子６１Ａに印加されたハイ電圧ＶＡが信号配線９３を介して第１抵抗Ｒ１及び第２抵抗Ｒ２によって分圧されることはない。また、非接触温度センサー７１１によって検出された検出電圧が、増幅器７１３及び第２抵抗Ｒ２を介して入力端子６１Ｂに入力されることもない。よって、入力端子６１Ｂには、出力端子６１Ａに印加されたハイ電圧ＶＡと同一の電圧が入力される。したがって、信号配線９３が断線している場合には、入力端子６１Ｂの電圧Ｖ１には、ハイ電圧ＶＡが入力される。判定部６１３は、電圧検出部６１２によって検出される入力端子６１Ｂの電圧Ｖ１の電圧値がハイ電圧ＶＡの電圧値と一致する場合に、信号配線９３が断線していると判定する。
【００３４】
一方、信号配線９３が地絡している場合には、出力端子６１Ａは第１抵抗Ｒ１及び信号配線９３を介して大地と接続される。よって、入力端子６１Ｂの電圧Ｖ１には、零（ゼロ）Ｖが入力される。判定部６１３は、電圧検出部６１２によって検出された入力端子６１Ｂの電圧Ｖ１の電圧値が零（ゼロ）Ｖである場合に、信号配線９３が地絡していると判定する。
【００３５】
図４を参照して説明したように、電圧印加部６１１が出力端子６１Ａにハイ電圧ＶＡを印加し、電圧検出部６１２は、入力端子６１Ｂの電圧Ｖ１を検出する。そして、検出された電圧Ｖ１がハイ電圧ＶＡと同一の電圧値である場合に、判定部６１３は、信号配線９３が断線していると判定する。よって、ヒーター７１２に電力を供給せずに、信号配線９３の断線を検出することができる。
【００３６】
また、検出された電圧Ｖ１が零（ゼロ）Ｖである場合に、判定部６１３は、信号配線９３が地絡していると判定する。よって、ヒーター７１２に電力を供給せずに、信号配線９３の地絡を検出することができる。
【００３７】
次に、図５を参照して、電源配線９１の異常を検出する制御部６の第２の機能場合について説明する。図５は、制御部の第２の機能を示す図である。電圧印加部６１１は、出力端子６１Ａにロー電圧ＶＢ（本実施形態では、零（ゼロ）Ｖ）を印加する。電圧検出部６１２は、入力端子６１Ｂの電圧Ｖ１を検出する。
【００３８】
電源配線９１が断線している場合には、非接触温度センサー７１１及び増幅器７１３に電圧が印加されない。同様に、電源配線９１が地絡している場合にも、非接触温度センサー７１１及び増幅器７１３に電圧が印加されない。よって、非接触温度センサー７１１によって検出された検出電圧が、増幅器７１３及び第２抵抗Ｒ２を介して入力端子６１Ｂに入力されることはない。したがって、入力端子６１Ｂの電圧Ｖ２は、出力端子６１Ａの電圧と略一致する。その結果、入力端子６１Ｂの電圧Ｖ２は、略零（ゼロ）Ｖとなる。判定部６１３は、電圧検出部６１２によって検出された入力端子６１Ｂの電圧Ｖ２が略零（ゼロ）Ｖである場合に、電源配線９１が断線又は地絡していると判定する。
【００３９】
図５を参照して説明したように、電圧印加部６１１が出力端子６１Ａにロー電圧ＶＢを印加し、電圧検出部６１２は、入力端子６１Ｂの電圧Ｖ２を検出する。そして、検出された電圧Ｖ２が略零（ゼロ）Ｖである場合に、判定部６１３は、電源配線９１が断線又は地絡していると判定する。よって、ヒーター７１２に電力を供給せずに、電源配線９１の断線及び地絡を検出することができる。
【００４０】
次に、図６を参照して、非接触温度センサー７１１を介して加熱ローラー７１の温度ＴＲを検出する制御部６の第３の機能について説明する。図６は、制御部６の第３の機能を示す図である。電圧印加部６１１は、出力端子６１Ａをオープン設定とする。電圧検出部６１２は、入力端子６１Ｂの電圧Ｖ３を検出する。
【００４１】
出力端子６１Ａをオープン設定とすることによって、出力端子６１Ａは３．３Ｖに設定される。また、出力端子６１Ａには、電流が流れない。よって、出力端子６１Ａと、増幅器７１３の出力側との間の電位差が、第１抵抗Ｒ１及び第２抵抗Ｒ２で分圧される。したがって、第２抵抗Ｒ２の両端に印加される電圧は、次の（１）式で表される。
（３．３−ＶＴ）×Ｒ２／（Ｒ１＋Ｒ２）      （１）
ここで、電圧ＶＴは、増幅器７１３の出力側の電圧である。また、抵抗値Ｒ１は、第１抵抗Ｒ１の抵抗値であり、抵抗値Ｒ２は、第２抵抗Ｒ２の抵抗値である。
【００４２】
よって、電圧Ｖ３は、次の（２）式で表される。
Ｖ３＝（３．３−ＶＴ）×Ｒ２／（Ｒ１＋Ｒ２）＋ＶＴ      （２）
上記（２）式を電圧ＶＴについて解くと、次の（３）式が得られる。
ＶＴ＝３．３×Ｒ２／Ｒ１−Ｖ３×（Ｒ１＋Ｒ２）／Ｒ１      （３）
【００４３】
例えば、第１抵抗Ｒ１の抵抗値が１２０ｋΩであり、第２抵抗Ｒ２の抵抗値が３０ｋΩである場合には、（３）式は、（４）式となる。
ＶＴ＝０．８２５−１．２５×Ｖ３      （４）
【００４４】
よって、判定部６１３は、（４）式を用いて電圧ＶＴを求めることができる。また、増幅器７１３の増幅率及び非接触温度センサー７１１の特性は予め分かっている。したがって、判定部６１３は、求めた電圧ＶＴから非接触温度センサー７１１の検出温度を求めることができる。
【００４５】
図６を参照して説明したように、電圧印加部６１１が出力端子６１Ａをオープン設定とし、電圧検出部６１２は、入力端子６１Ｂの電圧Ｖ３を検出する。そして、判定部６１３は、電圧Ｖ３から電圧ＶＴを求め、求めた電圧ＶＴから非接触温度センサー７１１の検出温度を求めることができる。
【００４６】
次に、図７を参照して、制御部６の動作を説明する。図７は、制御部６の動作を示すフローチャートである。図７では、制御部６が、信号配線９３及び電源配線９１の異常を検出する場合について説明する。まず、電圧印加部６１１によって、出力端子６１Ａにハイ電圧ＶＡが印加される（ステップＳ１０１）。そして、電圧検出部６１２によって、入力端子６１Ｂの電圧Ｖ１が検出される（ステップＳ１０３）。次に、判定部６１３によって、検出された電圧Ｖ１がハイ電圧ＶＡと同じ値であるか否かの判定が行われる（ステップＳ１０５）。
【００４７】
電圧Ｖ１がハイ電圧ＶＡと同じ値ではないと判定された場合（ステップＳ１０５でＮＯ）には、処理がステップＳ１０９へ進められる。電圧Ｖ１がハイ電圧ＶＡと同じ値であると判定された場合（ステップＳ１０５でＹＥＳ）には、判定部６１３によって、信号配線９３が断線していると判定され（ステップＳ１０７）、処理が終了される。
【００４８】
ステップＳ１０５でＮＯの場合には、判定部６１３によって、ステップＳ１０３において検出された電圧Ｖ１が零（ゼロ）Ｖであるか否かの判定が行われる（ステップＳ１０９）。電圧Ｖ１が零（ゼロ）Ｖではないと判定された場合（ステップＳ１０９でＮＯ）には、処理がステップＳ１１３へ進められる。電圧Ｖ１が零（ゼロ）Ｖであると判定された場合（ステップＳ１０９でＹＥＳ）には、判定部６１３によって、信号配線９３が地絡していると判定され（ステップＳ１１１）、処理が終了される。
【００４９】
ステップＳ１０９でＮＯの場合には、電圧印加部６１１によって、出力端子６１Ａにロー電圧ＶＢ（本実施形態では、零（ゼロ）Ｖ）が印加される（ステップＳ１１３）。次いで、電圧検出部６１２は、入力端子６１Ｂの電圧Ｖ２が検出される（ステップＳ１１５）。そして、判定部６１３によって、検出された電圧Ｖ２が略零（ゼロ）Ｖであるか否かの判定が行われる（ステップＳ１１７）。
【００５０】
電圧Ｖ２が略零（ゼロ）Ｖではないと判定された場合には（ステップＳ１１７でＮＯ）、処理がステップＳ１２１へ進められる。電圧Ｖ２が略零（ゼロ）Ｖであると判定された場合には（ステップＳ１１７でＹＥＳ）、判定部６１３によって、電源配線９１が断線又は地絡していると判定され（ステップＳ１１９）、処理が終了される。
【００５１】
ステップＳ１１７でＮＯの場合には、判定部６１３によって、異常なしと判定され（ステップＳ１２１）、処理が終了される。
【００５２】
図７を参照して説明したように、ヒーター７１２に電力を供給せずに、温度センサー７１１の異常を検出することができる。
【００５３】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）、（２））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００５４】
（１）本実施形態では、判定部６１３が、温度センサー７１１の検出した温度を求める形態について説明したが、これに限定されない。制御部６が、判定部６１３とは別に、温度センサー７１１の検出した温度を求める温度検出部を備える形態でもよい。
【００５５】
（２）本実施形態では、ハイ電圧ＶＡがＣＰＵ６１の駆動電圧（３．３Ｖ）と同一値である形態について説明したが、これに限定されない。ハイ電圧ＶＡがＣＰＵ６１の駆動電圧以下（例えば、２Ｖ）であればよい。
【産業上の利用可能性】
【００５６】
本発明は、画像形成装置に利用可能である。
【符号の説明】
【００５７】
１    画像形成装置
２    給紙部
３    トナー補給ユニット
４    画像形成ユニット
５    転写部
６    制御部
６１    ＣＰＵ
６１Ａ    出力端子
６１Ｂ    入力端子
６１１    電圧印加部
６１２    電圧検出部
６１３    判定部（温度検出部）
６１４    電圧生成部
７    定着部
７１    加熱ローラー
７１１    非接触温度センサー（温度センサー）
７１２    ヒーター
７１３    増幅器
７２    加圧ローラー
８    排出部
９    ワイヤーハーネス
９１    電源配線
９２    接地配線
９３    信号配線
Ｒ１    第１抵抗
Ｒ２    第２抵抗
【図１】
0006332148.tif 000002
【図２】
0006332148.tif 000003
【図３】
0006332148.tif 000004
【図４】
0006332148.tif 000005
【図５】
0006332148.tif 000006
【図６】
0006332148.tif 000007
【図７】
0006332148.tif 000008